(57)【特許請求の範囲】
【請求項１】
建物の軒桁に支持され、前記軒桁より外側へ跳ね出した下垂木と、
前記下垂木の上方に設けられ、前記下垂木より外側へ跳ね出し前記下垂木よりせいが小さい上垂木と、
前記上垂木の上に設けられた屋根材と、
を有する屋根。
【請求項２】
建物の軒桁に支持され、前記軒桁より外側へ跳ね出した下垂木と、
前記下垂木の側方に設けられ、前記下垂木より外側へ跳ね出し前記下垂木よりせいが小さい上垂木と、
前記上垂木の上に設けられた屋根材と、
を有する屋根。
【請求項３】
前記上垂木の下面には軒天板が張られ、前記上垂木の庇先端側には鼻隠し板が設けられている請求項１又は請求項２に記載の屋根。
【請求項４】
前記屋根材と前記軒天板の間には断熱材が配置されている請求項３に記載の屋根。
【発明の詳細な説明】
【技術分野】
【０００１】
本発明は、屋根に関する。
【背景技術】
【０００２】
木造建築では、屋根材が取付けられる垂木が軒桁から庇先端部まで跳ね出している。このため、屋根の庇先端部の見付せいは垂木のせいに依存する。庇先端部の見付せいを小さくするためには、下記特許文献１に示すように垂木を切欠いて先端部のせいを小さくする方法もあるが、この方法では、垂木の加工に手間がかかる。
【先行技術文献】
【特許文献】
【０００３】
【特許文献１】特開２００４−２１８３２４号公報
【発明の概要】
【発明が解決しようとする課題】
【０００４】
本発明は上記事実を考慮して、垂木に複雑な加工を施さずに屋根の庇先端部の見付せいを小さくすることを目的とする。
【課題を解決するための手段】
【０００５】
請求項１の屋根は、建物の軒桁に支持され、前記軒桁より外側へ跳ね出した下垂木と、前記下垂木の上方に設けられ、前記下垂木より外側へ跳ね出し前記下垂木よりせいが小さい上垂木と、前記上垂木の上に設けられた屋根材と、を有する。
【０００６】
請求項１の屋根では、軒桁に支持された下垂木の上方又は側方に上垂木を設け、下垂木より外側へ跳ね出した上垂木のせいを下垂木のせいより小さくすることで、屋根庇先端の見付せいを小さくできる。つまり、垂木を屋根庇先端まで跳ね出した場合の垂木のせいと屋根材の厚みの合計である見付せいより、上垂木のせいと屋根材の厚みの合計である見付せいが小さくなる。
【０００７】
また、せいの小さい上垂木を下垂木よりも外側へ跳ね出すだけで屋根の庇先端部の見付せいを小さくできるので、下垂木に複雑な加工を施す必要がない。
請求項２の屋根は、建物の軒桁に支持され、前記軒桁より外側へ跳ね出した下垂木と、前記下垂木の側方に設けられ、前記下垂木より外側へ跳ね出し前記下垂木よりせいが小さい上垂木と、前記上垂木の上に設けられた屋根材と、を有する。
【０００８】
請求項３の屋根は、請求項１又は請求項２に記載の屋根において、前記上垂木の下面には軒天板が張られ、前記上垂木の庇先端側には鼻隠し板が設けられている。
【０００９】
請求項３の屋根によると、上垂木が外から見えないので見た目がよい。
【００１０】
請求項４の屋根は、請求項３に記載の建物において、前記屋根材と前記軒天板の間には断熱材が配置されている。
【００１１】
請求項４の屋根によると、軒天板の結露を抑制できる。
【発明の効果】
【００１２】
本発明に係る屋根によると、垂木に複雑な加工を施さずに屋根の庇先端部の見付せいを小さくすることができる。
【図面の簡単な説明】
【００１３】
【図１】本発明の実施形態に係る屋根の庇部分を示した側断面図である。
【図２】本発明の実施形態に係る屋根の庇根元部分を示す、図１における２−２線断面図である。
【図３】本発明の実施形態に係る屋根の庇先端部分の詳細を示す、図１における３−３線断面図である。
【図４】本発明の実施形態に係る屋根の庇先端部分を示す、部分拡大断面図である。
【図５】（Ａ）は本発明の実施形態に係る下垂木の端部が軒桁の上部に配置された変形例を示す側断面図であり、（Ｂ）は下垂木の端部が軒桁の内側面に固定された変形例を示す側断面図であり、（Ｃ）は下垂木が矩形状の１つの部材で構成された変形例を示す正面断面図である。
【図６】（Ａ）は本発明の実施形態に係る上垂木が下垂木の側方に配置された変形例を示す正面断面図であり、（Ｂ）は側断面図である。
【図７】（Ａ）は本発明の実施形態に係る上垂木のピッチが下垂木のピッチよりも細かくされた変形例を示す正面断面図であり、（Ｂ）は側断面図である。
【図８】本発明の実施形態に係る屋根の効果を説明するための比較例を示す立断面図である。
【発明を実施するための形態】
【００１４】
図１には、本発明の実施形態に係る屋根２０の庇部分の断面図が示されている。屋根２０は、建物１０の軒桁１２に支持された下垂木３０と、下垂木３０の上方に設けられ、下垂木３０より外側（軒桁１２よりも屋外側）へ跳ね出す上垂木４０と、上垂木４０の上に設けられた屋根材５０と、を備えている。
【００１５】
上垂木４０は下垂木３０に沿って延設されており、屋根２０の棟部分（頂部）においては、下垂木３０及び上垂木４０が、軒桁１２と平行な方向へ延設された図示しない棟木に支持されている。
【００１６】
なお、以下の説明において、屋根２０における軒桁１２よりも内側の部分（図１では左側）を本体部２２、軒桁１２の外側の部分（図１では右側）を庇２４と称し、さらに庇２４のうち下垂木３０が配置されている部分を庇根元部２４Ａ、下垂木３０が配置されていない部分を庇先端部２４Ｂと称する。
【００１７】
（下垂木）
図１に示すように、下垂木３０は建物１０の軒桁１２の上に載置され、下垂木３０の先端３０Ｅは軒桁１２よりも外側（軒桁１２よりも屋外側）に配置され、下垂木３０の軸方向に対して傾斜して形成されている。互いに隣接する下垂木３０の間で、軒桁１２の上部には、軒桁１２の延設方向に沿って面戸板１８が配置され、軒桁１２と後述する軒天板６０との間の隙間が塞がれている。
【００１８】
なお、本実施形態において下垂木３０の先端３０Ｅは軒桁１２よりも外側に配置されているが、本発明の実施形態はこれに限られない。例えば図５（Ａ）に示す下垂木３１のように、先端３１Ｅを軒桁１２の上部に配置して、軒桁１２の上部で軒桁１２の延設方向に沿って通し材とされた面戸板１９を先端３１Ｅに固定してもよい。この場合、下垂木３１の先端３１Ｅが面戸板１８により隠されるので、屋外に下垂木３１が露出せず、庇２４の見付せいを小さくすることができる。
【００１９】
また、例えば図５（Ｂ）に示す下垂木３３のように、先端３３Ｅを軒桁１２の内側面に固定して、面戸板のない構成としてもよい。この場合、屋根を構成する部品点数を減らすことができる。
【００２０】
なお、庇２４の「見付せい」とは、図１に示すように、後述する上垂木４０の材軸方向と直交する方向（図１に一点鎖線Ｒ２で示す方向）に沿った庇２４の厚みを示しており、庇根元部２４Ａにおいては、下垂木３０の下端から後述する屋根材５０の上端までの厚みが見付せいＨ３とされ、庇先端部２４Ｂにおいては、後述する軒天板６０の下端から屋根材５０の上端までの厚みが見付せいＨ４とされている。
【００２１】
図２に示すように、下垂木３０は、芯材３２と、芯材３２を両側から挟み込んで保持する一対の脇材３４と、を備えており、脇材３４は芯材３２よりもせいが大きく形成され、図示しないビスを用いて芯材３２に固定されている。このため、下垂木３０は断面形状が略コの字型に形成されている。
【００２２】
なお、本実施形態における「せい」とは、下垂木３０及び上垂木４０の材軸方向（図１に一点鎖線Ｒ１で示す方向）と直交する方向（図１に一点鎖線Ｒ２で示す方向）に沿った下垂木３０（下垂木３０を構成する脇材３４）及び上垂木４０の厚みを示しており、図１、図２において、それぞれＨ１及びＨ２で示されている。
【００２３】
芯材３２、脇材３４はそれぞれ規格寸法の無垢の木材とされ、本実施形態においては芯材３２はツーバイフォー材（約３８ｍｍ×８９ｍｍ）、脇材３４はツーバイエイト材（約３８ｍｍ×１８４ｍｍ）とされている。
【００２４】
なお、本実施形態において下垂木３０は軒桁１２（図１参照）の延設方向に約９００ｍｍピッチで配置されているが、このピッチは変更してもよく、例えば９００ｍｍよりも大きくする場合は下垂木３０が負担する荷重が増えるので、芯材３２としてツーバイシックス材（約３８ｍｍ×１４０ｍｍ）を用いたり、脇材３４としてツーバイテン材（約３８ｍｍ×２３５ｍｍ）を用いたりして、下垂木３０の強度を高めることができる。
【００２５】
また、ピッチを９００ｍｍより小さくする場合は下垂木３０が負担する荷重が減るので脇材３４としてツーバイシックス材、ツーバイフォー材などを用いて、下垂木３０のせいを小さくすることができる。
【００２６】
なお、本実施形態において下垂木３０は芯材３２、脇材３４を組み合わせて略コの字型に構成されているが、本発明の実施形態はこれに限られない。例えば図５（Ｃ）に示す下垂木３５のように、１つの部材で矩形状に構成してもよい。このように構成することで、下垂木の加工を簡略化できる。さらに、下垂木３０を形成する材質としては規格寸法の無垢の木材に限られず、必要な材料強度や寸法に応じて、規格外寸法としてもよいし、集成材、樹脂と粉末木材とを混錬凝結した合成木、角型鋼管、溝形鋼などを用いてもよい。
【００２７】
（軒天板）
下垂木３０には軒天板６０が載置され、軒天板６０の端部が下垂木３０の脇材３４に上からビス６２で固定されている。また、図３に示すように、下垂木３０がない庇先端部において軒天板６０の端部は、上垂木４０に下からビス６６で固定されている。軒天板６０は構造用合板によって形成されており、隣接する下垂木３０及び上垂木４０に両端が固定された状態で、構造上及び意匠上支障となる撓みを生じない程度の剛性を備えている。
【００２８】
なお、本実施形態においては軒天板６０の表面が露出しているが、意匠上必要があれば、軒天板６０の表面を、図２に点線で示すように仕上げ材６４で被覆してもよい。仕上げ材６４の材質としては、ケイ酸カルシウム板、木板や金属板などを適宜用いることができる。
【００２９】
また、本発明の実施形態においては軒天板６０は必ずしも必要ではなく、軒天板６０を設けない構成とすることもできる。軒天板６０を設けなければ、上垂木４０が露出するが、庇先端部の見付せいを小さくすることができる。
【００３０】
（上垂木）
図２に示すように、軒天板６０の上部には上垂木４０が配置され、上垂木４０と下垂木３０とで軒天板６０の端部を挟み込んでいる。上垂木４０は下垂木３０の芯材３２にビス４２で固定されている。上垂木４０は、どの面を底面として配置してもせいが等しくなるように正方形の無垢の木材で形成されており、施工性が高められている。なお、上垂木４０を形成する材質としては、下垂木３０と同様、無垢の木材に限られず、集成材、樹脂と粉末木材とを混錬凝結した合成木、角型鋼管、溝形鋼などを用いることができる。            
【００３１】
上垂木４０のせいＨ２は、図１に示すように、上垂木４０が、屋根材５０及び後述する野地板５２の荷重を支持し、かつ下面に軒天板６０が張られた状態で構造上及び意匠上支障となる撓みが生じない寸法とされている。なお、庇先端部２４Ｂの跳ね出し幅はＬ１とされ、跳ね出し幅Ｌ１に下垂木３０の軒桁１２からの跳ね出し幅Ｌ２を加えた値が、庇２４の軒桁１２からの跳ね出し幅Ｌ３とされている。
【００３２】
上垂木４０は屋根材５０及び野地板５２の荷重を支持している。これに対し下垂木３０は、屋根材５０、野地板５２、上垂木４０、軒天板６０等の荷重を支持しており、上垂木４０よりも支持する荷重が大きい。このため、下垂木３０のせいＨ１は、上垂木４０のせいＨ２よりも大きい。換言すると、上垂木４０は、下垂木３０よりも負担する荷重が小さいので、せいＨ１をせいＨ２と比較して小さくすることができる。
【００３３】
図４に示すように、上垂木４０の先端４０Ｅは上垂木４０の延設方向と直交する方向（図１における軒桁１２と平行な方向）に延設された垂木受け４４にビス４６で接合されている。さらに、垂木受け４４の側面４４Ｅ及び軒天板６０の端面６０Ｅをそれぞれ覆うように、鼻隠し板４８が垂木受け４４にビス４９で固定されている。鼻隠し板４８は軒先の剛性を高めかつ意匠性を向上させるために硬度の高い化粧木により形成され、鼻隠し板４８の端面４８Ｅは上垂木の材軸方向に対して傾斜して形成されている。
【００３４】
（屋根材）
図２に示すように、上垂木４０の上部には野地板５２を介して屋根材５０が載置されている。野地板５２は耐水合板とされ、端部が上垂木４０にビス５４で固定されている。屋根材５０はアルミニウム亜鉛合金メッキ鋼板とされ、野地板５２との間には図示しない改質アスファルトルーフィング下地が敷設されて止水性を確保している。また屋根材５０は長軸方向が上垂木４０の延設方向に沿うように敷設された竪ハゼ葺きとされ、雨水が流れ易くなっている。
【００３５】
（断熱材）
野地板５２と軒天板６０との間には、硬質ウレタンフォームにより形成された断熱材７０が配置されている。断熱材７０は図１に示すように、建物１０の軒桁１２よりも内側の屋内空間を覆うように配置されており、屋内空間の断熱性が高められ、屋内空間まで延設され天井仕上げ材とされた軒天板６０の結露を抑制している。
【００３６】
なお、断熱材７０は例えば図１に２点鎖線で示すように、庇の先端部分まで延設してもよい。断熱材７０をこのように配置することで、屋外の軒天板６０の結露が抑制される。また、断熱材７０は必ずしも野地板５２と軒天板６０との間に設ける必要はなく、例えば図１に破線で示すように屋内空間に天井材１４を張り、天井材１４と軒天板６０との間に小屋裏空間１６を形成する場合などは、断熱材７０は天井材１４の上部に載置してもよい。さらに、断熱材７０はグラスウールやロックウール、セルロースファイバーなどの繊維系断熱材としてもよい。
【００３７】
（作用・効果）
本実施形態の屋根２０の効果を説明するために、図８を用いて従来技術とされた比較例に係る屋根２００について説明する。屋根２００は、軒桁１２に支持された垂木４００と、垂木４００の下に張られた軒天板６００と、垂木４００の上に野地板５２０を介して張られた屋根材５００と、を備えている。垂木４００は軒桁１２の延設方向に沿って約９００ｍｍピッチで配置されており、庇の先端部まで延設されている。垂木４００の先端４００Ｅには鼻隠し板４８０が固定されている。庇２４０の軒桁１２からの跳ね出し幅は本実施形態における庇２４の跳ね出し幅Ｌ３と等しく形成されている。
【００３８】
なお、従来技術においては垂木４００の下に軒天板６００が張られない場合もあるが、上垂木４０の下に軒天板６０が張られた本実施形態と条件を等しくするために、ここでは軒天板６００が張られた場合を説明する。
【００３９】
垂木４００のせいＨ５は、垂木４００が、屋根材５００及び野地板５２０の荷重を支持し、かつ下面に軒天板６００が張られた状態で構造上及び意匠上支障となる撓みが生じない寸法とされている。垂木４００に支持された庇２４０の跳ね出し幅Ｌ３は、本実施形態における庇２４の跳ね出し幅Ｌ３と等しく、上垂木４０に支持された庇先端部２４Ｂの跳ね出し幅Ｌ１よりも大きい。このため比較例の垂木４００は、本実施形態の上垂木４０と比較して、より大きな曲げモーメントを負担する必要がある。したがって垂木４００のせいＨ５は、本実施形態における上垂木４０のせいＨ２よりも大きく形成する必要があり、庇２４０の見付せいＨ６は、本実施形態における庇先端部２４Ｂの見付せいＨ４よりも大きくなる。
【００４０】
すなわち、本実施形態における屋根２０によると、庇の跳ね出し幅が等しい比較例に係る屋根２００と比較して、庇先端部２４Ｂの見付せいＨ４を小さくすることができる。
【００４１】
また、仮に本実施形態における上垂木４０のせいＨ２を、比較例における垂木４００のせいＨ５と等しくした場合、上垂木４０の強度が大きくなるので、庇先端部２４Ｂの跳ね出し幅Ｌ１を大きくして、跳ね出し幅Ｌ３とすることができる。つまり、庇２４の跳ね出し幅を大きくすることができる。
【００４２】
さらに、仮に比較例における庇２４０において庇先端部の見付せいを小さくしようとした場合、図８に破線で示したように、垂木４００を切欠き加工しなければならない。このように入隅部４００Ｈを形成する切欠き加工は、一般に手作業で行う必要があり、施工効率が悪くなる。また、入隅部４００Ｈが構造的な弱点となる場合もある。本実施形態における屋根２０では、このような切欠き加工を必要としないので、施工が容易である。
【００４３】
（変形例）
次に、本実施形態の変形例について説明する。本実施形態においては、上垂木４０は下垂木３０の上方に設けられているが、本発明の実施形態はこれに限られない。例えば、図６（Ａ）に示す上垂木４１のように、下垂木３０の側方に設けてもよい。この場合、上垂木４１は下垂木３０のいずれか一方の側面に設けてもよいが、荷重のバランスを考慮して、下垂木３０の両側に設けることが好適である。上垂木４１をこのように配置することで、図６（Ｂ）に示すように、上垂木４０を下垂木３０の上方に配置する場合の庇根元部２４Ａの見付せいＨ３と比較して、見付せいＨ７を小さくすることができる。
【００４４】
また、上垂木４０は下垂木３０と同ピッチとされているが、本発明の実施形態はこれに限られない。例えば図７（Ａ）に示す上垂木４３のように、ピッチを下垂木３０よりも細かくしてもよい。このようにすれば上垂木４３一本あたりが負担する荷重が減るので上垂木４３のせいを小さくすることができる。したがって、図７（Ｂ）に示すように、上垂木４０と下垂木３０とを同ピッチとした場合の庇先端部２４Ｂの見付せいＨ４と比較して、見付せいＨ８を小さくすることができる。なお、この場合、下垂木３０の上に載置されない上垂木４３Ｂは棟木まで延設する必要はなく、受梁３６を下垂木３０間に適宜架け渡し、その上部に端部４３ＢＥを配置すればよい。
【符号の説明】
【００４５】
１０    建物
１２    軒桁
２０    屋根
３０、３１、３３、３５    下垂木
４０、４１、４３          上垂木
４８    鼻隠し板
５０    屋根材
６０    軒天板
７０    断熱材
【図１】
0006770343.tif 000002
【図２】
0006770343.tif 000003
【図３】
0006770343.tif 000004
【図４】
0006770343.tif 000005
【図５】
0006770343.tif 000006
【図６】
0006770343.tif 000007
【図７】
0006770343.tif 000008
【図８】
0006770343.tif 000009